(57)【要約】【課題】被取付面に対する器具の取付作業を容易に行える器具取付構造を提供する。【解決手段】器具取付構造は、被取付面８０側の第１取付板８１に沿って連結される第３取付板１３と、被取付面８０側の第２取付板８２に沿って連結される第４取付板１４と、第３取付板１３に連結される第５取付板１５と、第４取付板１４に連結され、第５取付板１５に対して相対移動可能な第６取付板１６と、第５取付板１５に設けられ、第５取付板１５に対する第６取付板１６の移動方向に連続する長孔２１と、第６取付板１６に固定され、長孔２１に対して引き抜き不可能に挿通される係止ピン２２とを備える。【選択図】図１
2012174512.tif 000002
【特許請求の範囲】
【請求項１】
被取付面から突設され、互いに厚み方向に沿って所定の間隔を空けて設けられた第１取付板および第２取付板と、
前記第１取付板および前記第２取付板にそれぞれ設けられた第１取付孔および第２取付孔と、
前記第１取付板に対して厚み方向に沿って重なるように連結される第３取付板と、
前記第２取付板に対して厚み方向に沿って重なるように連結される第４取付板と、
前記第３取付板に連結され、前記第４取付板に沿って延びるとともに、器具を支持する第５取付板と、
前記第４取付板に連結され、前記第５取付板に沿って延びるとともに、前記第５取付板に対して面方向に沿って相対移動可能な第６取付板と、
前記第３取付板に固定され、前記第１取付孔に挿通可能な第１雄ねじ部と、
前記第１雄ねじ部に螺合される第１ナット部材と、
前記第４取付板に固定され、前記第２取付孔に挿通可能な第２雄ねじ部と、
前記第２雄ねじ部に螺合される第２ナット部材と、
前記第５取付板および前記第６取付板のうちの一方に設けられ、前記第５取付板に対する前記第６取付板の移動方向に連続する長孔と、
前記第５取付板および前記第６取付板のうちの他方に固定され、前記長孔に対して引き抜き不可能に挿通される係止ピンとを備える器具取付構造。
【請求項２】
請求項１に記載の器具取付構造であって、
前記第１雄ねじ部および前記第２雄ねじ部が互いに離れる方向に向けて固定されている器具取付構造。
【請求項３】
請求項１または請求項２に記載の器具取付構造であって、
前記長孔が前記第５取付板に設けられているとともに、前記係止ピンが前記第６取付板に固定されている器具取付構造。
【請求項４】
請求項１ないし請求項３のうちのいずれか１項に記載の器具取付構造であって、
前記第５取付板における前記第６取付板が干渉しない位置に貫通孔が設けられている器具取付構造。
【請求項５】
請求項１ないし請求項３のうちのいずれか１項に記載の器具取付構造であって、
前記器具が照明器具である器具取付構造。
【発明の詳細な説明】
【技術分野】
【０００１】
本発明は、被取付面である電波塔等の支柱に照明器具等を取り付ける器具取付構造に関する。
【背景技術】
【０００２】
従来より、高天井照明器具取付構造が知られている（例えば、特許文献１参照）。
【先行技術文献】
【特許文献】
【０００３】
【特許文献１】実開平３−４８８０５号公報（図１）
【発明の概要】
【発明が解決しようとする課題】
【０００４】
ところで、図８に示すように、特許文献１と同様に、器具取付構造として、照明器具１０１に取り付けられた一対の取付板１０２を支柱１０３に有する一対の取付板１０４に取り付けるものが提案されている。
このような従来の器具取付構造は、器具本体１０１側の取付板１０２にねじ挿通孔１０５が設けられており、支柱１０３側の取付板１０４にねじ挿通孔１０６が設けられている。
【０００５】
照明器具１０１を支柱１０３に取り付けるに際し、照明器具１０１側の取付板１０２を支柱１０３側の取付板１０４の内側に配置させながら、照明器具１０１側の取付板１０２のねじ挿通孔１０５を支柱１０３側の取付板１０４のねじ挿通孔１０６に合わせる。
そして、この状態を保持しながら、照明器具１０１側の取付板１０２の外側から支柱１０３側の取付板１０４に向けてボルト１０７が挿通され、支柱１０３の取付板１０４の内側において、ボルト１０７にナット１０８が重ねてねじ込まれる。
【０００６】
しかし、このような従来の器具取付構造は、以下の課題を有する。
課題の一つ目は、照明器具１０１側の取付板１０２のねじ挿通孔１０５から支柱１０３側の取付板１０４のねじ挿通孔１０６にボルト１０７を挿通する作業が両手作業になるために、取付作業を行い難いことである。
課題の二つ目は、ナット１０８のねじ込みの前に、照明器具１０１側の取付板１０２の外側から支柱１０３側の取付板１０４に向けてボルト１０７を手で挿通して仮保持する必要があるために、取付作業を行い難いことである。
課題の三つ目は、支柱１０３の取付板１０４の内側において、ボルト１０７にナット１０８をねじ込むために、ナット１０８をねじ込むスペースが狭い場合、取付作業を行い難いことである。
【０００７】
本発明は、前述した課題を解決するためになされたものであり、その目的は、被取付面に対する器具の取付作業を容易に行える器具取付構造を提供することにある。
【課題を解決するための手段】
【０００８】
本発明に係る器具取付構造は、被取付面から突設され、互いに厚み方向に沿って所定の間隔を空けて設けられた第１取付板および第２取付板と、前記第１取付板および前記第２取付板にそれぞれ設けられた第１取付孔および第２取付孔と、前記第１取付板に対して厚み方向に沿って重なるように連結される第３取付板と、前記第２取付板に対して厚み方向に沿って重なるように連結される第４取付板と、前記第３取付板に連結され、前記第４取付板に沿って延びるとともに、器具を支持する第５取付板と、前記第４取付板に連結され、前記第５取付板に沿って延びるとともに、前記第５取付板に対して面方向に沿って相対移動可能な第６取付板と、前記第３取付板に固定され、前記第１取付孔に挿通可能な第１雄ねじ部と、前記第１雄ねじ部に螺合される第１ナット部材と、前記第４取付板に固定され、前記第２取付孔に挿通可能な第２雄ねじ部と、前記第２雄ねじ部に螺合される第２ナット部材と、前記第５取付板および前記第６取付板のうちの一方に設けられ、前記第５取付板に対する前記第６取付板の移動方向に連続する長孔と、前記第５取付板および前記第６取付板のうちの他方に固定され、前記長孔に対して引き抜き不可能に挿通される係止ピンとを備える。
【０００９】
本発明に係る器具取付構造は、前記第１雄ねじ部および前記第２雄ねじ部が互いに離れる方向に向けて固定されている。
【００１０】
本発明に係る器具取付構造は、前記長孔が前記第５取付板に設けられているとともに、前記係止ピンが前記第６取付板に固定されている。
【００１１】
本発明に係る器具取付構造は、前記第５取付板における前記第６取付板が干渉しない位置に貫通孔が設けられている。
【００１２】
本発明に係る器具取付構造は、前記器具が照明器具である。
【発明の効果】
【００１３】
本発明に係る器具取付構造によれば、被取付面に対する器具の取付作業を容易に行えるという効果を奏する。
【図面の簡単な説明】
【００１４】
【図１】本発明に係る一実施形態の器具取付構造の支柱と照明器具と取付部材との斜め上方から視た分解斜視図
【図２】本発明に係る一実施形態の器具取付構造の照明器具と取付部材との一部破断正面図
【図３】本発明に係る一実施形態の器具取付構造の照明器具と取付部材との一部破断平面図
【図４】本発明に係る一実施形態の器具取付構造の照明器具と取付部材との一部破断右側面図
【図５】本発明に係る一実施形態の器具取付構造の取付部材における第５取付板の貫通孔と第６取付板と組付けを説明する外観斜視図
【図６】本発明に係る一実施形態の器具取付構造の取付部材における第５取付板の変形例と第６取付板との組付けを説明する外観斜視図
【図７】本発明に係る一実施形態の器具取付構造の変形例の斜め上方から視た分解斜視図
【図８】従来の器具取付構造の外観斜視図
【発明を実施するための形態】
【００１５】
以下、本発明に係る一実施形態の器具取付構造について図面を参照して説明する。
図１に示すように、本発明に係る一実施形態の器具取付構造が適用される照明装置１０は、照明器具１１と、鉄骨構造を構成する取付部材１２とを備え、取付部材１２を介して被取付面である電波塔の支柱８０に取り付けられる。
なお、被取付面としては、電波塔の支柱８０に限定されず、建物の外壁面等も含まれる。
【００１６】
支柱８０は、外側に突設され、互いに厚み方向に沿って所定の間隔を空けて設けられた第１取付板８１および第２取付板８２を有し、第１取付板８１および第２取付板８２にそれぞれ設けられた第１取付孔８３および第２取付孔８４を有する。
取付部材１２は、第１取付板８１に対して厚み方向に沿って重なるように連結される第３取付板１３と、第２取付板８２に対して厚み方向に沿って重なるように連結される第４取付板１４とを備える。
取付部材１２は、第３取付板１３に連結され、第４取付板１４に沿って延びるとともに、照明器具１１を支持する第５取付板１５を備える。
第３取付板１３は、第５取付板１５に対して直交して折曲成形されている。
取付部材１２は、第４取付板１４に連結され、第５取付板１５に沿って延びるとともに、第５取付板１５に対して面方向に沿って相対移動可能な第６取付板１６を備える。
第４取付板１４は、第６取付板１６に対して直交して折曲成形されている。
第６取付板１６は、第５取付板１５の略１／２の長さを有する。
【００１７】
取付部材１２は、第３取付板１３に溶接等の接合手段により固定され、第１取付孔８３に挿通可能なボルトである第１雄ねじ部１７と、第１雄ねじ部１７に螺合される第１ナット部材１８とを備える。
取付部材１２は、第４取付板１４に溶接等の接合手段により固定され、第２取付孔８４に挿通可能なボルトである第２雄ねじ部１９と、第２雄ねじ部１９に螺合される第２ナット部材２０とを備える。
【００１８】
取付部材１２は、第５取付板１５および第６取付板１６のうちの一方の第５取付板１５に設けられ、第５取付板１５に対する第６取付板１６の移動方向に連続する長孔２１を備える。
取付部材１２は、第５取付板１５および第６取付板１６のうちの他方の第６取付板１６に固定され、長孔２１に対して引き抜き不可能に挿通される係止ピンであるボルト２２を備える。
取付部材１２は、第５取付板１５における第６取付板１６が干渉しない位置に貫通孔２３が設けられている。
【００１９】
図２に示すように、照明器具１１は、四角形の箱形状に形成された器具本体２４に円筒形状の筒部２５が取り付けられており、器具本体２４の中央部にＬＥＤユニット２６が取り付けられている。
ＬＥＤユニット２６は、四角形の外形に形成されており、複数のＬＥＤチップ２７と、ＬＥＤチップ２７に対応した複数のレンズ２８との組み合わせがユニット台２９を介して第５取付板１５に取り付けられている。
【００２０】
照明器具１１は、器具本体２４の図２中の右方側に電源端子台３０を有する電源ユニット３１が取り付けられている。
電源端子台３０は、不図示の外部配線を通じて外部回路に電気的に接続されるとともに、不図示の器具配線を通じてＬＥＤユニット２６に有する不図示のＬＥＤ基板のプリント回路に電気的に接続される。
【００２１】
図３に示すように、第１取付板８１および第２取付板８２は、支柱８０から図３中の＋Ｘ方向に突出されている。取付部材１２の第３取付板１３および第４取付板１４は、支柱８０に向けて図３中の−Ｘ方向に向けて突出する。
照明器具１１は、筒部２５の前面に透光性を有する外面パネル３２が取り付けられており、この外面パネル３２のＬＥＤユニット２６側に、第１拡散パネル３３と、第２拡散パネル３４とが重ねられて取り付けられている。
照明器具１１は、第５取付板１５の＋Ｘ方向側の前面に取り付けられている。
【００２２】
図４に示すように、照明器具１１は、筒部２５が器具本体２４から、あらかじめ定められた角度だけ傾斜されて取り付けられているために、ＬＥＤユニット２６からの光成分が支柱８０に対して斜め下方に向けて出射される。
【００２３】
図５に示すように、第５取付板１５は、長孔２１が、照明器具１１とは反対側に取り付けられており、第５取付板１５の長孔２１に対応する位置に、第５取付板１５において第６取付板１６が干渉しない貫通孔２３が設けられている。
【００２４】
そして、第６取付板１６は、貫通孔２３に対応する位置に、Ｕ字形状に切除された切欠部３５が形成されている。
第６取付板１６のボルト２２が第５取付板１５の長孔２１に挿通された後に、ボルト２２を長孔２１から引き抜き不可能にするためのナット３６がボルト２２に２重にねじ込まれる。
そのため、第５取付板１５において第６取付板１６が干渉しない貫通孔２３に、吊上金具３７や不図示の落下防止ワイヤーが引っ掛けられる。
【００２５】
図６に示すように、第５取付板１５の変形例は、第５取付板１５の端部における長さを、第６取付板１６の端部よりも長く形成しておき、第５取付板１５の貫通孔２３が第６取付板１６により閉塞されないようにしている。
本変形例によれば、第６取付板１６に切欠部３５を形成する必要がない。
【００２６】
次に、図１に戻り、取付部材１２を介して照明器具１１を支柱８０に取り付ける手順について説明する。
まず、支柱８０に対して吊り上げる以前の地上の準備作業において、第５取付板１５が照明器具１１の器具本体２４に取り付けられ、この第５取付板１５に第６取付板１６が平行に配置される。
【００２７】
このとき、第５取付板１５の長孔２１に第６取付板１６のボルト２２が貫通され、第５取付板１５の＋Ｘ側においてボルト２２にナット３６がねじ込まれる。
ここで、ナット３６がボルト２２に対して緩められることにより、第６取付板１６が第５取付板１５の面方向に沿って相対的に移動されるために、第３取付板１３と第４取付板１４との間隔が任意に変更される。
そして、第３取付板１３の第１雄ねじ部１７の先端から第４取付板１４の第２雄ねじ部１９の先端までの間隔寸法Ｌ１を、支柱８０の第１取付板８１および第２取付板８２の間隔寸法Ｌ２よりもわずかに小さくなるように仮固定しておく。
【００２８】
次に、吊上金具３７が第５取付板１５の貫通孔２３に引っ掛けられて、器具本体２４と第５取付板１５と第６取付板１６との組立体が支柱８０の第１取付板８１および第２取付板８２の近くまで吊り上げられていく。
そこで、器具本体２４と第５取付板１５と第６取付板１６との組立体が第１取付板８１および第２取付板８２の近くまで引き寄せられ、仮固定されている第３取付板１３の第１雄ねじ部１７を第１取付板８１の第１取付孔８３に内側から外側に向けて挿通する。
【００２９】
次に、ナット３６をボルト２２からわずかに緩めて仮固定を解除させ、第６取付板１６を第５取付板１５に対して相対的に移動させることにより、第４取付板１４の第２雄ねじ部１９を第２取付板８２の第２取付孔８４に内側から外側に向けて挿通する。
従って、ナット３６のボルト２２へのねじ込みを調整するだけの簡単な作業で仮固定を維持できるために、従来のもののような面倒な仮固定を行う必要がない。
【００３０】
次に、ナット３６をボルト２２に本固定し、第１取付板８１の第１取付孔８３から外側に突出している第３取付板１３の第１雄ねじ部１７に一対の第１ナット部材１８を２重にねじ込ませる。
そして、第２取付板８２の第２取付孔８４から外側に突出している第４取付板１４の第２雄ねじ部１９に一対の第２ナット部材２０を２重にねじ込ませる。
従って、第１雄ねじ部１７への第１ナット部材１８のねじ込みの後に、第２雄ねじ部１９への第２ナット部材２０のねじ込みを行うために、従来のもののように、両手作業にならずに、簡単にねじ込みを行える。
【００３１】
次に、吊上金具３７を第５取付板１５の貫通孔２３から外し、吊上金具３７に代えて落下防止ワイヤーが貫通孔２３に引っ掛けられることにより、支柱８０の所定の位置に照明器具１１が設置される。
【００３２】
このように、第３取付板１３の第１雄ねじ部１７および第４取付板１４の第２雄ねじ部１９が互いに離れる方向に向けて固定されている。
従って、第１ナット部材１８および第２ナット部材２０が第１取付板８１および第２取付板８２の外側に配置されるために、スペース面で狭い箇所での作業にならず、螺合作業を容易に行える。
例えば、第３取付板１３の第１雄ねじ部１７および第４取付板１４の第２雄ねじ部１９が互いに近づく方向に向けて固定されていた場合、第１ナット部材１８および第２ナット部材２０の螺合作業を狭いスペースで行うことになって作業をし難い。
【００３３】
また、長孔２１が第５取付板１５に設けられているとともに、ボルト２２が第６取付板１５に固定されている。
従って、ナット３６の位置が照明器具１１の配置された前面側になるので螺合作業を容易に行える。
例えば、長孔２１が第６取付板１６に設けられる場合、第５取付板１５に支柱８０に向けてボルト２２が取り付けられるために、ナット３６の螺合を狭いスペースで行うことになって作業をし難い。
【００３４】
そして、吊上金具３７および落下防止ワイヤーを引っ掛けるための貫通孔２３が、仮固定を解除する際に移動されない第５取付板１５における第６取付板１６が干渉しない位置に設けられている。
従って、第５取付板１５に対する第６取付板１６の移動に影響されない第５取付板１５に貫通孔２３が設けられるために、吊上金具３７を貫通孔２３に確実に係止でき、この係止状態を取付作業完了時まで持続できる。
【００３５】
図７に示すように、器具取付構造の変形例は、第５取付板１５および第６取付板１６が第３取付板１３および第４取付板１４を上方に配置しており、第５取付板１５および第６取付板１６の図７中の−Ｚ方向側に照明器具１１が取り付けられている。
【００３６】
以上、説明したように一実施形態の器具取付構造によれば、第１雄ねじ部１７への第１ナット部材１８のねじ込みの後に、第２雄ねじ部１９への第２ナット部材２０のねじ込みを行うために、従来のもののように、両手作業にならずに、簡単にねじ込みを行える。
また、一実施形態の器具取付構造によれば、ナット３６のボルト２２へのねじ込みを調整するだけの簡単な作業で仮固定を維持できるために、従来のもののような面倒な仮固定を行う必要がない。
そして、一実施形態の器具取付構造によれば、スペース面で狭い箇所での作業にならず、螺合作業を容易に行える。
従って、一実施形態の器具取付構造によれば、支柱８０に対する照明器具１１の取付作業を容易に行える。
【００３７】
また、一実施形態の器具取付構造によれば、第１ナット部材１８および第２ナット部材２０が第１取付板８１および第２取付板８２の外側に配置されるために、スペース面で狭い箇所での作業にならず、螺合作業を容易に行える。
【００３８】
そして、一実施形態の器具取付構造によれば、ナット３６が器具本体２４の配置された前面側になるので螺合作業を容易に行える。
【００３９】
さらに、一実施形態の器具取付構造によれば、第５取付板１５に対する第６取付板１６の移動に影響されない第５取付板１５に貫通孔２３が設けられるために、吊上金具３７を貫通孔２３に確実に係止でき、この係止状態を取付作業完了時まで持続できる。
【００４０】
さらにまた、一実施形態の器具取付構造によれば、照明器具１１を支柱８０の所定位置に容易に取付できる。
【００４１】
なお、本発明の器具取付構造において器具本体，電源端子台，電源ユニット等は、前述した一実施形態に限定されるものでなく、適宜な変形や改良等が可能である。
【符号の説明】
【００４２】
１０  照明装置
１１  照明器具（器具）
１２  取付部材
１３  第３取付板
１４  第４取付板
１５  第５取付板
１６  第６取付板
１７  第１雄ねじ部
１８  第１ナット部材
１９  第２雄ねじ部
２０  第２ナット部材
２１  長孔
２２  ボルト（係止ピン）
２３  貫通孔
８０  支柱（被取付面）
８１  第１取付板
８２  第２取付板
８３  第１取付孔
８４  第２取付孔
【図１】
2012174512.tif 000003
【図２】
2012174512.tif 000004
【図３】
2012174512.tif 000005
【図４】
2012174512.tif 000006
【図５】
2012174512.tif 000007
【図６】
2012174512.tif 000008
【図７】
2012174512.tif 000009
【図８】
2012174512.tif 000010